(57)【要約】      （修正有）【課題】吸い上げた液体芳香剤の揮発性を高めて設置空間を適度な芳香で満たすことができ、かつ、扱いが容易でインテリア性にも優れた芳香発散装置を提供する。【解決手段】芳香発散装置は、液体芳香剤を収容するための上部に開口部を有する容器２と、平たく長い複数本の短冊状木製板材(リード)１と、を備えることを特徴とする。本考案のリードは平たいため、従来の単なる棒状のリードと比較すると表面積が大きく、容器中においてより多くの芳香剤を吸い上げることができるとともに、吸い上げた芳香剤をより多く周辺の空気中に発散することができる。上部に穴を設けたリード３、要（かなめ）により開閉可能に束ねられたリード４を用いることで、より高い効果を得ることができる。【選択図】図１
0003119834.tif 000002
【実用新案登録請求の範囲】
【請求項１】
液体芳香剤を収容するための上部に開口部を有する容器と、平たく長い複数本の短冊状木製板材(リード)と、を備えることを特徴とする芳香発散装置。
【請求項２】
前記リードが柾目の木製板材であることを特徴とする請求項１に記載の芳香発散装置。
【請求項３】
前記リードが竹材であることを特徴とする請求項１に記載の芳香発散装置。
【請求項４】
前記リードが上部に穴を有することを特徴とする請求項１〜３のいずれかに記載の芳香発散装置。
【請求項５】
前記複数本のリードが一つの要（かなめ）で束ねられていることを特徴とする請求項１〜４のいずれかに記載の芳香発散装置。
【考案の詳細な説明】
【技術分野】
【０００１】
本考案は、液体芳香剤を吸い上げて揮発させることにより設置空間を適度な芳香で満たすことができる、扱いやすくインテリア性にも優れた芳香発散装置に関する。
【背景技術】
【０００２】
近年、生活空間をより快適にする方法として、また心身の疲れを癒すリラクゼーションの方法として、香りの効能が注目を浴びている。一定の空間を芳香で満たす手段としては、従来、香やアロマオイル、アロマキャンドル、ルームスプレーなどがあるが、火や電気を用いるため注意が必要であったり、芳香が弱くなったときには噴霧する必要があったりと、人による管理が不可欠であった。一方で、香料をしみこませた素焼きポットやポプリなど、そのような管理が不要なタイプの芳香発散装置もあるが、空間を満たす香りの強さを調節することはできなかった。非特許文献１は、木製リードを通じてアロマオイルの香りを吸い上げて芳香を発散する装置であり、管理の容易さや香りが調節できるという点では優れているものの、扱いやすさや芳香の強さという点については充分考慮されたとは言い難く、インテリア性においても検討の余地が残されていた。
【０００３】
【非特許文献１】「アロマリード」，[online]，Alione Pty Ltd，平成１７年８月２６日検索，インターネット〈ＵＲＬ：http://www.alione.net/catalog/aroma_reeds.php〉
【考案の開示】
【考案が解決しようとする課題】
【０００４】
本考案が解決しようとする課題は、吸い上げた液体芳香剤の揮発性を高めて設置空間を適度な芳香で満たすことができ、かつ、扱いが容易でインテリア性にも優れた芳香発散装置を提供することである。
【課題を解決するための手段】
【０００５】
上記課題を解決するために成された本考案に係る芳香発散装置は、液体芳香剤を収容するための上部に開口部を有する容器と、平たく長い複数本の短冊状木製板材(リード)と、を備えることを特徴とする。
【考案の効果】
【０００６】
本考案では、容器内の液体芳香剤を吸い上げるために、平たく長い短冊状木製板材（以下、リードと呼ぶ）を使用する。本考案のリードは平たいため、従来の単なる棒状のリードと比較すると表面積が大きく、容器中においてより多くの芳香剤を吸い上げることができるとともに、吸い上げた芳香剤をより多く周辺の空気中に発散することができる。
【考案を実施するための最良の形態】
【０００７】
リードの下部において吸い上げた液体芳香剤をより多く上部に運び、空気中に発散させるため、本考案で用いるリードの素材には柾目の木材や竹材を用いるのが望ましい。
【０００８】
また、上部においてリードの表面積をさらに増やすため、リードに穴を開けることも効果的である。この穴の形状を優美なものとすることにより、本考案の芳香発散装置のインテリア性がより高まる。
【０００９】
本考案で用いる容器は、上部に開口部を有する以外、その材質や形態にとくに制限はない。例えば、ガラス、プラスチック、陶器など、設置空間のインテリア性を考慮して好みの素材の容器を用いることができる。
【００１０】
容器に入れる芳香剤もとくに限定されない。一般に使用されている合成香料や天然香料を用いることができるが、合成香料に比べて揮発しにくい天然香料（ラベンダー油、オレンジ油、ジャスミン油、檜油など）を用いる際に、本考案の芳香発散装置はとくに効果を発揮する。もちろん、これらの香料はそれぞれ単独で用いてもよく、複数を調合した調合芳香剤として使用するのでもかまわない。
【実施例１】
【００１１】
図１(a)は、本考案を用いた芳香発散装置の一例を示す。その構成は、上部に開口部を有する容器２と、その容器内に入れられた液体芳香剤と、開口部から容器内に差し込まれた複数本のリード１と、から成る。本芳香発散装置のリード１は平たく長い短冊状木製板材からなる。従来品で用いられている棒状の細いリードに比べて表面積が大きいため、容器２内からはより多くの液体芳香剤を吸い上げ、上部においてはより多くの芳香剤を空気中に揮発する。このため、広い部屋においても十分に香りを発散させることができる。
【実施例２】
【００１２】
図１(b)は、本考案に係る芳香発散装置の他の例を示す。この例では、リード３の上部に穴を設けることにより、液体芳香剤の発散する面積を広げている。これにより、さらに強く芳香を発散させることができる。また、この穴は装飾性を考慮してデザインすることができ、インテリア性もさらに高めることができる。
【実施例３】
【００１３】
図１(c)は、本考案に係る芳香発散装置のまた他の例を示す。この例では、複数本のリード４は、図２に示す一つの要（かなめ）５によって扇のように開閉可能に束ねられている。これにより、複数本のリード４がばらけることがないため、容器２に入れる際の取り扱いが容易になる。また、各リード４自体の吸い上げに加え、リード４とリード４の間の隙間の毛細管現象による吸い上げの効果も生じることから、全体としての芳香剤の吸い上げ量が多くなる。さらに、開閉により扇面部の面積を調節することで、芳香の強度を調節することができるとともに、扇様の置物として、インテリア性をさらに高めることができる。要５は、外観および安定性の点から容器の開口部付近に設けるのが望ましい。
【００１４】
実施例３の芳香発散装置の使用方法について、図２を用いて説明する。まず、要５によって束ねられた複数のリード４を閉じ（図２(a)）、その下部を容器２の開口部より差し入れて、容器内の液体芳香剤に浸す（図２(b)）。そして、複数のリード４を扇のように開く（図２(c)）。これにより、容器２中の液体芳香剤はリード４の下部から吸い上げられ、上部の扇面様の部分から空気中に発散し、設置空間を適度な芳香で満たす。
【００１５】
なお、芳香剤はアルコールに適度の量の香料を加えたものを用いることができるが、さらに防虫性、抗菌性、防腐性等の効果を持つヒノキチオールを加えてもよい。
【図面の簡単な説明】
【００１６】
【図１】本考案に係る芳香発散装置の一実施例を示す正面図(a)、他の実施例を示す正面図(b)、さらに他の実施例を示す正面図(c)
【図２】本考案に係る芳香発散装置の一実施例の使用方法を示す正面図
【符号の説明】
【００１７】
１、３、４…リード
２…容器
５…要
【図１】
0003119834.tif 000003
【図２】
0003119834.tif 000004